(57)【要約】【課題】第１通信方式での送信と第２通信方式での送信とが可能な携帯通信端末における温度上昇を適切に抑制することが可能な携帯通信端末を提供する。【解決手段】携帯通信端末は、第１通信方式による送信信号の電力増幅用の第１増幅器と第２通信方式による送信信号の電力増幅用の第２増幅器とを備え、通信状況に応じて、第１上限電力値以下の範囲での電力増幅を前記第１増幅器に、第２上限電力値以下の範囲での電力増幅を前記第２増幅器に行わせるものであり、両通信方式による並行送信期間においては、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御する。【選択図】図１
2012222702.tif 000002
【特許請求の範囲】
【請求項１】
第１通信方式による送信信号の電力増幅用の第１増幅器と、
第２通信方式による送信信号の電力増幅用の第２増幅器と、
通信状況に応じて、第１上限電力値以下の範囲での電力増幅を前記第１増幅器に行わせ、第２上限電力値以下の範囲での電力増幅を前記第２増幅器に行わせる制御部とを備え、
前記制御部は、
前記第１通信方式による送信と前記第２通信方式による送信とを並行して行う期間に、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御を行う
ことを特徴とする携帯通信端末。
【請求項２】
前記制御部は、
前記第１増幅器において、予め定められた第１基準電力値以上の範囲での電力増幅が行われている場合には、前記第４上限電力値以下の範囲での電力増幅を前記第２増幅器に行わせるよう前記制御を行う
ことを特徴とする請求項１記載の携帯通信端末。
【請求項３】
前記携帯通信端末は、更に
温度を測定する測定部を備え、
前記制御部は、
前記測定部が測定した温度が閾値以上である場合に前記制御を行う
ことを特徴とする請求項１記載の携帯通信端末。
【請求項４】
前記制御部は、
前記測定部が測定した温度が前記閾値以上であるかの判定を繰り返し行い、前記閾値以上であるとの判定を行う毎に、少なくともいずれか一方の増幅器における上限電力値を当該判定時よりも低下させるように前記制御を行う
ことを特徴とする請求項３記載の携帯通信端末。
【請求項５】
前記制御部は、更に
前記判定の結果が、前記測定部が測定した温度が前記閾値以上である状態から前記閾値未満である状態に変化した場合に、前記制御を中止し、前記第１上限電力値以下の範囲での電力増幅を前記第１増幅器に行わせ、前記第２上限電力値以下の範囲での電力増幅を前記第２増幅器に行わせる
ことを特徴とする請求項４記載の携帯通信端末。
【請求項６】
前記制御部は、
予め定められた優先順位に基づいて、より優先順位の低い増幅器を、前記制御の対象の増幅器として特定する
ことを特徴とする請求項１記載の携帯通信端末。
【請求項７】
前記携帯通信端末は、更に
温度を測定する測定部と、
前記第１増幅器を含み、当該第１増幅器により増幅された前記第１通信方式による信号の送信を行う第１送信部と、
前記第２増幅器を含み、前記第２増幅器により増幅された前記第２通信方式による信号の送信を行う第２送信部とを備え、
前記制御部は、更に
前記制御を行った後において、前記測定部が測定した温度が閾値以上である場合において、特定した前記制御の対象の増幅器が、前記第１増幅器であるときには、前記第１送信部による前記送信を停止し、前記第２増幅器であるときには、前記第２送信部による前記送信を停止させる
ことを特徴とする請求項６記載の携帯通信端末。
【請求項８】
前記制御部は、
前記第１通信方式による送信と前記第２通信方式による送信とを並行して行う期間においては、前記第３上限電力値以下の範囲での電力増幅を前記第１増幅器に行わせ、かつ前記第４上限電力値以下の範囲での電力増幅を前記第２増幅器に行わせるよう前記制御を行う
ことを特徴とする請求項１記載の携帯通信端末。
【請求項９】
前記制御部は、
前記第１通信方式による送信と前記第２通信方式による送信とを並行して行っているかの判定を繰り返し行い、
並行して行っているとの判定を行う毎に、少なくともいずれか一方の増幅器における上限電力値を当該判定時よりも低下させるように前記制御を行い、
前記判定の結果が、並行して行っている状態から並行して行っていない状態に変化した場合に、前記制御を中止し、前記第１上限電力値以下の範囲での電力増幅を前記第１増幅器に行わせ、前記第２上限電力値以下の範囲での電力増幅を前記第２増幅器に行わせる
ことを特徴とする請求項１記載の携帯通信端末。
【請求項１０】
第１通信方式による送信信号の電力増幅用の第１増幅器と、第２通信方式による送信信号の電力増幅用の第２増幅器とを備える携帯通信端末における電力増幅制御方法であって、
前記第１通信方式による送信を行い、前記第２通信方式による送信を行わない期間においては、第１上限電力値以下の範囲での電力増幅を前記第１増幅器に行わせる第１制御ステップと、
前記第２通信方式による送信を行い、前記第１通信方式による送信を行わない期間においては、第２上限電力値以下の範囲での電力増幅を前記第２増幅器に行わせる第２制御ステップと、
前記第１通信方式による送信と前記第２通信方式による送信とを並行して行う期間においては、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御する第３制御ステップとを含む
ことを特徴とする電力増幅制御方法。
【請求項１１】
第１通信方式による送信信号の電力増幅用の第１増幅器と、第２通信方式による送信信号の電力増幅用の第２増幅器とを備える携帯通信端末におけるプロセッサに、電力増幅制御処理を行わせるためのプログラムであって、
前記電力増幅制御処理は、
前記第１通信方式による送信を行い、前記第２通信方式による送信を行わない期間においては、第１上限電力値以下の範囲での電力増幅を前記第１増幅器に行わせる第１制御ステップと、
前記第２通信方式による送信を行い、前記第１通信方式による送信を行わない期間においては、第２上限電力値以下の範囲での電力増幅を前記第２増幅器に行わせる第２制御ステップと、
前記第１通信方式による送信と前記第２通信方式による送信とを並行して行う期間においては、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御する第３制御ステップとを含む
ことを特徴とするプログラム。
【発明の詳細な説明】
【技術分野】
【０００１】
本発明は、送信信号の電力増幅用の複数の増幅器を備える携帯電話機等の携帯通信端末に関し、特に、携帯通信端末の温度上昇抑制の技術に関する。
【背景技術】
【０００２】
携帯通信端末内部の部品、特に、発熱量の大きい、送信信号の電力増幅用の増幅器（以下、「送信用増幅器」ともいう）の部品からの発熱により携帯通信端末の温度が上昇するという問題がある。
この問題の発生を抑制する技術として、例えば特許文献１の技術が知られている。
特許文献１の技術は、１つの送信用増幅器を備える携帯通信端末において、温度上昇によりこの送信用増幅器の増幅度が低下し、電力増幅の上限値（基地局より要求された値）が得られなくなる場合に、携帯通信端末の内部の温度に応じて、この上限値を低下させて、安定した送信電力を得るというものである。
【０００３】
ところで、第１通信方式での送信に対応した送信用増幅器と、第２通信方式での送信に対応した送信用増幅器とを備える携帯通信端末が知られている。
このような２つの送信用増幅器を備える携帯通信端末では、１つの送信用増幅器を備えるものよりも、両送信用増幅器による総合的な発熱量が多くなる。
【先行技術文献】
【特許文献】
【０００４】
【特許文献１】特開平８−２０４５８７号公報
【発明の概要】
【発明が解決しようとする課題】
【０００５】
しかしながら、上記特許文献１の技術は、携帯通信端末が１つの送信用増幅器を備える場合のみを想定した技術であり、２つの送信用増幅器を備えるような場合にそのまま適用できない。
そこで、本発明は係る問題に鑑みてなされたものであり、第１通信方式での送信と第２通信方式での送信とが可能な携帯通信端末において、携帯通信端末の温度上昇を適切に抑制することが可能な携帯通信端末を提供することを目的とする。
【課題を解決するための手段】
【０００６】
上記課題を解決するために、本発明に係る携帯通信端末は、第１通信方式による送信信号の電力増幅用の第１増幅器と、第２通信方式による送信信号の電力増幅用の第２増幅器と、通信状況に応じて、第１上限電力値以下の範囲での電力増幅を前記第１増幅器に行わせ、第２上限電力値以下の範囲での電力増幅を前記第２増幅器に行わせる制御部とを備え、前記制御部は、前記第１通信方式による送信と前記第２通信方式による送信とを並行して行う期間に、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御を行うことを特徴とする。
【発明の効果】
【０００７】
上記構成を備える本発明に係る携帯通信端末によれば、第１通信方式での送信と第２通信方式での送信とが可能な携帯通信端末において、携帯通信端末の温度上昇を適切に抑制することができる。
【図面の簡単な説明】
【０００８】
【図１】実施の形態１に係る携帯電話機１００の主要部の機能構成を示すブロック図
【図２】携帯電話機１００の制御処理を示すフローチャート
【図３】実施の形態２に係る携帯電話機２００の主要部の機能構成を示すブロック図
【図４】携帯電話機２００の制御処理を示すフローチャート
【図５】実施の形態３に係る携帯電話機３００の主要部の機能構成を示すブロック図
【図６】携帯電話機３００の制御処理を示すフローチャート
【発明を実施するための形態】
【０００９】
以下、本発明に係る携帯通信端末の一実施形態としての携帯電話機について説明する。
≪実施の形態１≫
＜概要＞
実施の形態１に係る携帯電話機は、ＣＤＭＡ（Code Division Multiple Access）２０００方式の移動通信システム（以下、「ＣＤＭＡシステム」ともいう）及びＬＴＥ（Long Term Evolution）方式の移動通信システム（以下、「ＬＴＥシステム」ともいう）の両システムに対応しており、並行送信も可能な端末である。
【００１０】
両システムでの送信を並行して行うケースとしては、例えば、ＣＤＭＡシステムを用いて移動しながら音声通話を行っている場合に、ＬＴＥシステムを用いて携帯電話機１００の位置登録を行うことが考えられる。
このように、両システムでの送信を並行して行う場合に、この携帯電話機は、自機が備える、各システムで用いられる送信信号の電力増幅を行う各増幅器の上限電力値を、各増幅器における現在の送信電力値に基づいて、一方のシステムでの送信のみが行われている場合の上限電力値より低下させることで、両増幅器による発熱を抑制することができる。
【００１１】
なお、以下では、ＣＤＭＡシステムで用いられる周波数帯（例えば、８００ＭＨｚ帯）を「第１周波数帯」ともいうこととし、ＬＴＥシステムで用いられる周波数帯（例えば、２ＧＨｚ帯）を「第２周波数帯」ともいうこととする。
＜機能構成＞
図１は、実施の形態１に係る携帯電話機１００の主要部の機能構成を示すブロック図である。
【００１２】
携帯電話機１００は、同図に示すように、ＣＤＭＡシステム用の各機能部とＬＴＥシステム用の各機能部とを含み、記憶部１０１ａ、１０１ｂ、通信制御部１０２ａ、１０２ｂ、ベースバンド部１０３ａ、１０３ｂ、無線部１０４ａ、１０４ｂ、フィルタ１０５ａ、１０５ｂ、増幅器１０６ａ、１０６ｂ、アイソレータ１０７ａ、１０７ｂ、デュプレクサ１０８ａ、１０８ｂ、アンテナ１０９ａ、１０９ｂ、受信回路１１０ａ、１１０ｂ及び制御部１１１を備える。
【００１３】
なお、携帯電話機１００は、プロセッサ及びメモリを含んで構成されており、制御部１１１の機能は、上述のメモリに記憶されているプログラムを上述のプロセッサが実行することにより実現される。
ここで、記憶部１０１ａは、ＣＤＭＡシステム用の増幅器１０６ａにおける現在の上限電力値を示す情報（以下、「上限値情報」という）を、記憶部１０１ｂは、ＬＴＥシステム用の増幅器１０６ｂにおける現在の上限電力値を示す上限値情報を、それぞれ記憶するためのメモリ領域である。
【００１４】
通信制御部１０２ａは、制御部１１１からの指示を受けて、ＣＤＭＡシステムでの通信を制御する機能を有する。通信制御部１０２ａは、特に、記憶部１０１ａに記憶されている上限値情報が示す現在の上限電力値の範囲で、電力増幅を行うよう増幅器１０６ａに指示する。
また、通信制御部１０２ｂは、制御部１１１の制御を受けて、ＬＴＥシステムでの通信を制御する機能を有する。通信制御部１０２ｂは、特に、記憶部１０１ｂに記憶されている上限値情報が示す現在の上限電力値の範囲で、電力増幅を行うよう増幅器１０６ｂに指示する。
【００１５】
なお、ＬＴＥシステムでは、基本的にＭＩＭＯ（Multiple Input Multiple Output）方式での通信が行われ、携帯電話機１００のＬＴＥシステムもＭＩＭＯ方式による通信を行うものとする。
ベースバンド部１０３ａは、通信制御部１０２ａからベースバンド信号を受領してデジタル変調し、無線部１０４ａにデジタル変調後の信号を送出する機能を有する。
【００１６】
また、ベースバンド部１０３ｂは、通信制御部１０２ｂからベースバンド信号を受領してデジタル変調し、無線部１０４ｂにデジタル変調後の信号を送出する機能を有する。
なお、ベースバンド部１０３ｂからは、最終的にアンテナ１０９ｂから送信される各送信信号成分に対応するデジタル変調後の各信号成分が送出され、以降の無線部１０４ｂ、フィルタ１０５ｂ、増幅器１０６ｂ、アイソレータ１０７ｂ、デュプレクサ１０８ｂにおいて各成分について処理が行われるが、各成分についての処理を個別に説明する必要がない限り、各成分をまとめて信号と表現する。
【００１７】
無線部１０４ａはベースバンド部１０３ａから、無線部１０４ｂはベースバンド部１０３ｂから、それぞれ受領したデジタル変調後の信号を無線信号に変換し、無線部１０４ａはフィルタ１０５ａを介して増幅器１０６ａに、無線部１０４ｂはフィルタ１０５ｂを介して増幅器１０６ｂに送出する機能を有する。
フィルタ１０５ａは、無線部１０４ａと増幅器１０６ａとの間に挿入され、無線部１０４ａから受領した無線信号のうち、増幅器１０６ａに対応する周波数帯（第１周波数帯であるものとする）の信号を通過させるバンドパスフィルタである。
【００１８】
フィルタ１０５ｂは、無線部１０４ｂと増幅器１０６ｂとの間に挿入され、無線部１０４ｂから受領した無線信号のうち、増幅器１０６ｂに対応する周波数（第２周波数帯であるものとする）の信号を通過させるバンドパスフィルタである。
増幅器１０６ａは、第１周波数帯の送信信号の電力増幅用の増幅器であり、フィルタ１０５ａを介して受領した信号を、通信制御部１０２ａからの指示に従って増幅する機能を有する。
【００１９】
増幅器１０６ｂは、第２周波数帯の送信信号の電力増幅用の増幅器であり、フィルタ１０５ｂを介して受領した信号を、通信制御部１０２ｂからの指示に従って増幅する機能を有する。
アイソレータ１０７ａ、１０７ｂは、送信信号の逆流を防ぐ非可逆回路素子である。
デュプレクサ１０８ａは、第１周波数帯用のアンテナ１０９ａと接続し、デュプレクサ１０８ｂは、第２周波数帯用の４本のアンテナ１０９ｂと接続し、それぞれ送信経路と受信経路とを電気的に分離するための素子であり、この素子によって同時送受信が可能になる。
【００２０】
受信回路１１０ａ、１１０ｂは、図示しない受信用増幅器等を含み、受信した信号を、受信回路１１０ａは無線部１０４ａへ、受信回路１１０ｂは無線部１０４ｂへそれぞれ送出する回路である。
制御部１１１は、携帯電話機１００全体の制御を行うものであり、特に、各記憶部（１０１ａ、１０１ｂ）の上限値情報を設定、つまり更新することで、両システムでの送信が並行して行われる期間において、各増幅器における現在の送信電力値に基づいて、いずれか一方のシステムでの送信のみを行う期間における上限電力値よりも低い上限電力値の範囲で各増幅器に送信信号の電力増幅を行わせる機能を有する。
【００２１】
なお、制御部１１１は、ＣＤＭＡシステムでの送信のみを行う期間においては、第１上限電力値（例えば、２３ｄＢｍ）を示すように記憶部１０１ａの上限値情報を設定し、ＬＴＥシステムでの送信のみを行う期間においては、第２上限電力値（例えば、２２ｄＢｍ）を示すように記憶部１０１ｂの上限値情報を設定する。
＜動作＞
次に、上記構成を備える携帯電話機１００の動作について、図２を用いて説明する。
【００２２】
図２は、携帯電話機１００の制御処理を示すフローチャートである。
同図に示す制御処理は、携帯電話機１００の電源がＯＮになると開始され、特に図示していないが、電源がＯＦＦになると終了される。
まず、制御部１１１は、ＣＤＭＡシステム及びＬＴＥシステムの両システムで並行送信中であるかを判定する（ステップＳ１）。
【００２３】
両システムで並行送信中である場合に（ステップＳ１：ＹＥＳ）、制御部１１１は、ＣＤＭＡシステム側の増幅器１０６ａにおける現在の送信電力値が所定値（以下、「第１基準電力値」ともいい、例えば１０ｄＢｍであるものとする）以上であるかを判定する（ステップＳ２）。
第１基準電力値以上である場合に（ステップＳ２：ＹＥＳ）、制御部１１１は、第２上限電力値から所定値（例えば、１ｄＢ）低下させた値（以下、「第３上限電力値」ともいう）を示すように、記憶部１０１ｂの上限値情報を設定する（ステップＳ３）。また、第１基準電力値未満である場合に（ステップＳ２：ＮＯ）、制御部１１１は、第２上限電力値を示すように、記憶部１０１ｂの上限値情報を設定する（ステップＳ４）。
【００２４】
ステップＳ３又はＳ４の処理を完了すると、制御部１１１は、ＬＴＥシステム側の増幅器１０６ｂにおける現在の送信電力値が所定値（以下、「第２基準電力値」ともいい、例えば１０ｄＢｍであるものとする）以上であるかを判定する（ステップＳ５）。
第２基準電力値以上である場合に（ステップＳ５：ＹＥＳ）、制御部１１１は、第１上限電力値から所定値（例えば、１ｄＢ）低下させた値（以下、「第４上限電力値」ともいう）を示すように、記憶部１０１ａの上限値情報を設定する（ステップＳ６）。また、第２基準電力値未満である場合には（ステップＳ５：ＮＯ）、制御部１１１は、第１上限電力値を示すように記憶部１０１ａの上限値情報を設定する（ステップＳ７）。
【００２５】
ステップＳ６又はＳ７の処理を完了すると、制御部１１１は、再びステップＳ１から処理を行う。
両システムで並行送信中でない場合、つまり片方のシステムでの送信のみが行われている場合及びいずれのシステムでも送信が行われていない場合には（ステップＳ１：ＮＯ）、制御部１１１は、第１上限電力値を示すように記憶部１０１ａの上限値情報を設定し、第２上限電力値を示すように記憶部１０１ｂの上限値情報を設定し（ステップＳ８）、再びステップＳ１から処理を行う。
【００２６】
≪実施の形態２≫
＜概要＞
実施の形態１では、携帯電話機１００が、両システムでの送信が並行して行われる期間において、各増幅器（１０６ａ、１０６ｂ）における現在の送信電力値に基づいて、増幅器１０６ａの上限電力値を第３上限電力値に、増幅器１０６ｂの上限電力値を第４上限電力値に低下させる例を説明した。
【００２７】
実施の形態２では、両システムでの送信が並行して行われる期間において、各増幅器周辺の温度に基づいて、各増幅器の上限電力値を低下させる例を、実施の形態１に係る携帯電話機１００との相違点を中心に説明する。
＜機能構成＞
図３は、実施の形態２に係る携帯電話機２００の主要部の機能構成を示すブロック図である。
【００２８】
携帯電話機２００は、同図に示すように、実施の形態１に係る携帯電話機１００の制御部１１１に代えて制御部２０２を備え、更に測定部２０１を備える点で携帯電話機１００と異なる。
ここで、測定部２０１は、サーミスタ等の温度測定用センサを含み、予め設定されている、サーミスタの温度が閾値Ｔ１になったときの電圧Ｖ１と、サーミスタの実際の電圧とを比較することで、この測定部２０１の配置位置での温度を測定する機能を有する。
【００２９】
測定部２０１は、例えば、増幅器１０６ａ、１０６ｂに近い基板上であって、各増幅器から略等距離の位置や、基板上でない筐体内空間で、各増幅器の放射熱が伝わる部分又は対流による熱が伝わる部分に設けられる。
また、制御部２０２は、両システムでの送信が並行して行われる期間において、増幅器１０６ａに第３上限電力値以下の範囲で、増幅器１０６ｂに第４上限電力値以下の範囲で送信信号の電力増幅を行わせるかどうかを、測定部２０１が測定した温度に基づいて決定する点で、実施の形態１に係る制御部１１１とは異なる。
【００３０】
＜動作＞
次に、上記構成を備える携帯電話機２００の動作について、図４を用いて説明する。
図４は、携帯電話機２００の制御処理を示すフローチャートである。
同図に示す制御処理は、携帯電話機２００の電源がＯＮになると開始され、特に図示していないが、電源がＯＦＦになると終了される。
【００３１】
制御部２０２は、まず、実施の形態１に係る制御部１１１と同様に、ＣＤＭＡシステム及びＬＴＥシステムの両システムで並行送信中であるかを判定し（ステップＳ１）、両システムで並行送信中でない場合には（ステップＳ１：ＮＯ）、各記憶部の上限値情報を、第１及び第２上限電力値を示すように設定する処理を行い（ステップＳ８）、再びステップＳ１から処理を行う。
【００３２】
また、両システムで並行送信中である場合に（ステップＳ１：ＹＥＳ）、制御部２０２は、測定部２０１が測定した温度が閾値Ｔ１以上であるか否かを判定し（ステップＳ１１）、測定した温度が閾値Ｔ１未満である場合には（ステップＳ１１：ＮＯ）、ステップＳ８の処理を行って、再びステップＳ１から処理を行う。
また、測定した温度が閾値Ｔ１以上である場合に（ステップＳ１１：ＹＥＳ）、制御部２０２は、実施の形態１に係る制御部１１１のステップＳ３及びＳ６の処理と同様に、各記憶部の上限値情報を設定する（ステップＳ１２）。
【００３３】
即ち、制御部２０２は、第１上限電力値から所定値（例えば、１ｄＢ）低下させた値（第３上限電力値）を示すように、記憶部１０１ａの上限値情報を設定する。また、制御部２０２は、第２上限電力値から所定値（例えば、１ｄＢ）低下させた値（第４上限電力値）を示すように、記憶部１０１ｂの上限値情報を設定する。
ステップＳ１２の処理を完了すると、制御部２０２は、再びステップＳ１から処理を行う。
【００３４】
≪実施の形態３≫
＜概要＞
実施の形態１及び２では、携帯電話機が、両システムでの送信が並行して行われる期間において、一定条件下で両増幅器の上限電力値を低下させる例を説明した。
実施の形態３では、両システムでの送信が並行して行われる期間において、予め定められた優先順位に基づいて、優先順位の低いシステム側の増幅器の上限電力値のみを低下させる例を説明する。
【００３５】
また、この実施の形態３では、優先順位の低いシステム側の増幅器の上限電力値を低下させ、所定時間後に測定部２０１で測定した温度に基づいて、その優先順位の低いシステムでの送信を停止する例についても説明する。
以下では、実施の形態２に係る携帯電話機２００との相違点を中心に説明する。
＜機能構成＞
図５は、実施の形態３に係る携帯電話機３００の主要部の機能構成を示すブロック図である。
【００３６】
携帯電話機３００は、同図に示すように、実施の形態２に係る携帯電話機２００の制御部２０２に代えて制御部３０１を備える点で携帯電話機２００と異なる。
制御部３０１は、両システムでの送信が並行して行われる期間において、予め設定されている優先順位に基づいて、いずれか一方の増幅器の上限電力値を低下させるようにした点で、実施の形態２に係る制御部２０２とは異なる。
【００３７】
なお、この優先順位は、この例では、携帯電話機３００の工場出荷時において、ＣＤＭＡシステムの方が高く設定されており、ユーザ操作に基づいて変更可能であるものとする。
また、制御部３０１は、上述のように、いずれか一方の増幅器の上限電力値を低下させて、所定時間後に測定部２０１で測定した温度に基づいて、その優先順位の低いシステムでの送信を停止するよう、各通信制御部を制御する機能を有する。
【００３８】
＜動作＞
次に、上記構成を備える携帯電話機３００の動作について、図６を用いて説明する。
図６は、携帯電話機３００の制御処理を示すフローチャートである。
同図に示す制御処理は、携帯電話機３００の電源がＯＮになると開始され、特に図示していないが、電源がＯＦＦになると終了される。
【００３９】
制御部３０１は、まず、実施の形態２に係る制御部２０２と同様に、ＣＤＭＡシステム及びＬＴＥシステムの両システムで並行送信中であるかを判定し（ステップＳ１）、両システムで並行送信中でない場合には（ステップＳ１：ＮＯ）、各記憶部の上限値情報を、第１及び第２上限電力値を示すように設定する処理を行い（ステップＳ８）、再びステップＳ１から処理を行う。
【００４０】
また、両システムで並行送信中である場合に（ステップＳ１：ＹＥＳ）、制御部３０１は、両システムのうち、予め定められた優先順位が低いものがいずれであるかを判定する（ステップＳ２１）。
ＬＴＥシステムの方がＣＤＭＡシステムより優先順位が低い場合に（ステップＳ２１：ＬＴＥ）、制御部３０１は、第１上限電力値を示すように記憶部１０１ａの上限値情報を設定し、第２上限電力値から所定値（例えば、１ｄＢ）低下させた値（第４上限電力値）を示すように、記憶部１０１ｂの上限値情報を設定する（ステップＳ２２）。
【００４１】
また、ＣＤＭＡシステムの方がＬＴＥシステムより優先順位が低い場合（ステップＳ２１：ＣＤＭＡ）、制御部３０１は、第２上限電力値を示すように記憶部１０１ｂの上限値情報を設定し、第１上限電力値から所定値（例えば、１ｄＢ）低下させた値（第３上限電力値）を示すように、記憶部１０１ａの上限値情報を設定する（ステップＳ２３）。
ステップＳ２２又はＳ２３の処理を完了すると、所定時間後に、制御部３０１は、実施の形態２に係る制御部２０２と同様に、測定部２０１が測定した温度が閾値Ｔ１以上であるか否かを判定する（ステップＳ２５）。
【００４２】
測定した温度が閾値Ｔ１未満である場合に（ステップＳ２５：ＮＯ）、制御部３０１は、再びステップＳ１から処理を行う。また、測定した温度が閾値Ｔ１以上である場合に（ステップＳ２５：ＹＥＳ）、制御部３０１は、優先順位が低い方のシステム側の通信制御部に信号送信を停止するよう指示し（ステップＳ２４）、再びステップＳ１から処理を行う。
【００４３】
≪補足≫
以上、本発明に係る携帯通信端末を、実施の形態１〜３に基づいて説明したが、以下のように変形することも可能であり、本発明は上述した各実施の形態で示した通りの携帯通信電話機に限られないことは勿論である。
（１）各実施の形態に係る携帯電話機では、図２、４、６に示すように、ＣＤＭＡシステム及びＬＴＥシステムの両システムで並行送信中でない場合に（ステップＳ１：ＮＯ）、必ずステップＳ８の処理が行われるものとして説明した。しかしながら、記憶部１０１ａの上限値情報が第１上限電力値を示さない場合に限って、この上限値情報を第１上限電力値に設定し、記憶部１０１ｂの上限値情報が第２上限電力値を示さない場合に限って、この上限値情報を第２上限電力値に設定するようにしてもよい。
【００４４】
（２）各実施の形態では、第１通信方式及び第２通信方式が、ＣＤＭＡ方式及びＬＴＥ方式であるものとして説明したが、これらは一例であり、第１通信方式及び第２通信方式は、他の通信方式であってもよい。
また、各実施の形態では、第１上限電力値と第２上限電力値とは異なる値であり、第１基準電力値と第２基準電力値とは同じ値であるものとして説明したが、第１上限電力値と第２上限電力値とは同じ値でもよいし、第１基準電力値と第２基準電力値とは異なる値でもよい。
【００４５】
また、各実施の形態では、いずれのシステム用の増幅器の上限電力値も所定値（各実施の形態の例では１ｄＢ）ずつ低下させるものとして説明したが、この所定値は、システム毎に異なる値にしてもよい。例えば、優先順位の低いシステム側のこの所定値を、優先順位の高いシステム側のこの所定値よりも大きくするようにしてもよいし、ユーザが任意の値を設定できるようにしてもよい。
【００４６】
（３）各実施の形態に係る携帯電話機では、図２、４、６に示すように、ＣＤＭＡシステム及びＬＴＥシステムの両システムで並行送信中である場合において、図２のステップＳ６又はＳ７の処理、図４のステップＳ１２又はＳ８の処理、図６のステップＳ２５又はＳ２４の処理を完了した場合に、ステップＳ１と同様にＣＤＭＡシステム及びＬＴＥシステムの両システムで並行送信中であるかの判定処理を行うようにし、両システムで並行送信中である間、この判定処理を繰り返し行い、両システムで並行送信中でなくなった場合に、ステップＳ８の処理に進むようにしてもよい。
【００４７】
（４）実施の形態１では、一定条件下でＬＴＥシステム側の増幅器１０６ｂの上限電力値を低下させる処理と、一定条件下でＣＤＭＡシステム側の増幅器１０６ａの上限電力値を低下させる処理との両方を行うものとして説明した。しかしながら、これらの処理のうちのいずれかのみを行うようにしてもよい。
即ち、図２のステップＳ２〜Ｓ４の処理群と、ステップＳ５〜Ｓ７の処理群とのうちのいずれかのみを行うようにしてもよい。
【００４８】
図４に示す実施の形態２に係る携帯電話機２００の制御処理についても同様に、ステップＳ１２を、いずれかのシステムの上限電力値のみを低下させるように変形してもよい。
いずれのシステム側の増幅器の上限電力値を低下させるかは、ユーザが設定できるようにしてもよい。
また、実施の形態１では、ＣＤＭＡシステム及びＬＴＥシステムの両システムで並行送信中である場合に、一定条件下でＬＴＥシステム側の増幅器１０６ｂの上限電力値を低下させる処理と一定条件下でＣＤＭＡシステム側の増幅器１０６ａの上限電力値を低下させる処理とを行うものとして説明した。
【００４９】
しかしながら、ＣＤＭＡシステム及びＬＴＥシステムの両システムで並行送信中である場合には、無条件で、ＬＴＥシステム側の増幅器１０６ｂの上限電力値を低下させる処理と、ＣＤＭＡシステム側の増幅器１０６ａの上限電力値を低下させる処理との少なくともいずれかの処理を行うようにしてもよい。
（５）実施の形態２に係る携帯電話機２００は、１つの測定部を備え、各増幅器周辺の温度を測定するものとして説明したが、複数の測定部を備えるよう変形し、各増幅器それぞれの温度を測定し、各増幅器のうち、温度が閾値Ｔ１以上である増幅器の上限電力値を低下させるよう制御してもよい。
【００５０】
また、同様に、実施の形態３に係る携帯電話機３００についても、複数の測定部を備えるように変形し、図６のステップＳ２２又はＳ２３の処理の所定時間後に、優先順位が低い方の増幅器の温度を測定するようステップＳ１１の処理を変形してもよい。
このように、複数の測定部を備えることで、１つの測定部を備える場合と比較し、よりきめ細かい制御が可能になる。
【００５１】
なお、各増幅器間に断熱材を備えるようにし、各測定部が対応する増幅器の温度をより正確に測定できるようにしてもよい。
また、複数の測定部を備えるように変形した場合、温度の閾値Ｔ１を、システム毎に異なる値にしてもよい。例えば、システムの優先順位に基づいて、優先順位の高いシステムの方の温度の閾値をより高くするようにしてもよいし、ユーザが任意の温度を設定できるようにしてもよい。
【００５２】
（６）実施の形態３に係る携帯電話機３００は、ＣＤＭＡシステム及びＬＴＥシステムの両システムで並行送信中である場合に、予め定められた優先順位に基づいて、優先順位の低いシステム側の増幅器の上限電力値を低下させると共に、所定時間後に測定部２０１で測定した温度に基づいて、その優先順位の低いシステムでの送信を停止するものとして説明した。
【００５３】
しかしながら、予め定められた優先順位に基づいて、優先順位の低いシステム側の増幅器の上限電力値を低下させる制御だけを行うようにしてもよい。つまり、図６のステップＳ１１及びＳ２４の処理を行わないようにし、ステップＳ２２の処理を完了すると、再びステップＳ１から処理を行うよう変形してもよい。
（７）各実施の形態において説明した各構成要素のうち、全部又は一部を１チップ又は複数チップの集積回路で実現してもよいし、コンピュータのプログラムで実現してもよいし、その他どのような形態で実現してもよい。
【００５４】
また、各実施の形態において説明した各構成要素は、携帯電話機が有するプロセッサと協働することにより、その機能を実現する。
（８）各実施の形態において説明した携帯電話機の制御処理（図２、４、６参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより各実施の形態で示した携帯電話機の各機能が実現される。
【００５５】
（９)また、各実施の形態では、いずれのシステム用の増幅器の上限電力値を第１上限電力値及び第２上限電力値から所定値（各実施の形態の例では１ｄＢ）ずつ低下させるものとして説明したが、各上限値を段階的に下げていくとしてもよい。
すなわち、図２のステップＳ３又はＳ６の処理、図４のステップＳ１２の処理、図６のステップＳ２２又はＳ２３の処理において、各記憶部に設定された現在の上限値から所定値ずつ低下させるものとしてもよい。この場合、上限電力値の急速な低下を抑制するために、例えば、図２のステップＳ６又はＳ７の処理、図４のステップＳ１２又はＳ８の処理、図６のステップＳ２５又はＳ２４の処理の後に、一定時間待機するステップを追加してもよい。
【００５６】
（１０）各実施の形態に係る携帯電話機に、上記（１）〜（９）の一部又は全部の変形を組み合わせて適用してもよい。
（１１）以下、更に本発明の一実施形態に係る携帯通信端末の構成及びその変形例と各効果について説明する。
（ａ）本発明の一実施形態に係る携帯通信端末は、第１通信方式による送信信号の電力増幅用の第１増幅器と、第２通信方式による送信信号の電力増幅用の第２増幅器と、通信状況に応じて、第１上限電力値以下の範囲での電力増幅を前記第１増幅器に行わせ、第２上限電力値以下の範囲での電力増幅を前記第２増幅器に行わせる制御部とを備え、前記制御部は、前記第１通信方式による送信と前記第２通信方式による送信とを並行して行う期間に、前記第１上限電力値より小さい第３上限電力値以下の範囲での電力増幅を前記第１増幅器に行わせること、及び前記第２上限電力値より小さい第４上限電力値以下の範囲での電力増幅を前記第２増幅器に行わせることのうちの少なくともいずれかを行うよう制御を行う。
【００５７】
この携帯通信端末によれば、第１通信方式による送信と第２通信方式による送信とを並行して行う場合に、少なくとも一方の増幅器の上限電力値を、その増幅器に対応する通信方式による送信のみが行われている場合よりも低下させるので、両通信方式による送信を並行して行う場合にも携帯通信端末の温度上昇を適切に抑制できる。
（ｂ）また、前記制御部は、前記第１増幅器において、予め定められた第１基準電力値以上の範囲での電力増幅が行われている場合には、前記第４上限電力値以下の範囲での電力増幅を前記第２増幅器に行わせるよう前記制御を行うこととしてもよい。
【００５８】
通信状況が比較的悪い場合、通信状況が比較的良い場合と比較し、一般的には、増幅器の送信電力値を高くする必要がある。即ち、増幅器の送信電力値が比較的高い場合において、この増幅器の上限電力値を低下させたときには、一般的に、通信が維持できない可能性が高くなる。
この携帯通信端末によれば、第１基準電力値を適切に定めることで、第１通信方式による送信と第２通信方式による送信とを並行して行う場合に、第１増幅器の現在の送信電力値が比較的高い場合に、第２増幅器の上限電力値を低下させることで、第１増幅器に対応する通信方式による送信を維持しつつ、携帯通信端末の温度上昇を適切に抑制できる。
【００５９】
（ｃ）また、前記携帯通信端末は、更に温度を測定する測定部を備え、前記制御部は、前記測定部が測定した温度が閾値以上である場合に前記制御を行うこととしてもよい。
この携帯通信端末によれば、閾値を適切に設定することで、第１通信方式による送信と第２通信方式による送信とを並行して行う場合においても、自端末の温度が比較的低いときには、各増幅器の上限電力値を、各増幅器に対応する通信方式による送信のみが行われている場合の上限電力値のまま維持することができる。即ち、この携帯通信端末によれば、各通信方式による送信を適切に維持することができる。
【００６０】
（ｄ）また、前記制御部は、前記測定部が測定した温度が前記閾値以上であるかの判定を繰り返し行い、前記閾値以上であるとの判定を行う毎に、少なくともいずれか一方の増幅器における上限電力値を当該判定時よりも低下させるように前記制御を行うこととしてもよい。
この携帯通信端末によれば、閾値を適切に設定することで、第１通信方式による送信と第２通信方式による送信とを並行して行う場合において、自端末の温度が比較的高い間、少なくともいずれか一方の増幅器における上限電力値を徐々に低下させるため、携帯通信端末の温度上昇の抑制を優先しつつも、各通信方式による送信をなるべく維持することができる。
【００６１】
（ｅ）また、前記制御部は、更に前記判定の結果が、前記測定部が測定した温度が前記閾値以上である状態から前記閾値未満である状態に変化した場合に、前記制御を中止し、前記第１上限電力値以下の範囲での電力増幅を前記第１増幅器に行わせ、前記第２上限電力値以下の範囲での電力増幅を前記第２増幅器に行わせることとしてもよい。
この携帯通信端末によれば、少なくともいずれか一方の増幅器における上限電力値を徐々に低下させていった結果、自端末の温度が比較的低くなった場合に、各増幅器の上限電力値を、各増幅器に対応する通信方式による送信のみが行われている場合の上限電力値に戻すことができる。
【００６２】
即ち、この携帯通信端末によれば、第１通信方式による送信と第２通信方式による送信とを並行して行う場合において、自端末の温度が比較的低い場合には、各通信方式による送信の維持を優先することができる。
（ｆ）また、前記制御部は、予め定められた優先順位に基づいて、より優先順位の低い増幅器を、前記制御の対象の増幅器として特定することとしてもよい。
【００６３】
この携帯通信端末によれば、第１通信方式による送信と第２通信方式による送信とを並行して行う場合において、より優先順位が低い増幅器、例えば比較的重要性が低い送信用の増幅器の上限電力値を低下させることができるので、重要性の高い送信を維持することができる。
（ｇ）また、前記携帯通信端末は、更に温度を測定する測定部と、前記第１増幅器を含み、当該第１増幅器により増幅された前記第１通信方式による信号の送信を行う第１送信部と、前記第２増幅器を含み、前記第２増幅器により増幅された前記第２通信方式による信号の送信を行う第２送信部とを備え、前記制御部は、更に前記制御を行った後において、前記測定部が測定した温度が閾値以上である場合において、特定した前記制御の対象の増幅器が、前記第１増幅器であるときには、前記第１送信部による前記送信を停止し、前記第２増幅器であるときには、前記第２送信部による前記送信を停止させることとしてもよい。
【００６４】
この携帯通信端末によれば、閾値を適切に設定することにより、第１通信方式による送信と第２通信方式による送信とを並行して行う場合において、より優先順位が低い増幅器の上限電力値を低下させた後においても、自端末の温度が比較的高いときに、この優先順位が低い増幅器に対応する通信方式による送信を停止することができる。
即ち、この携帯通信端末によれば、より重要性の高い送信をより確実に維持しつつ、携帯通信端末の温度上昇を抑制することができる。
【００６５】
（ｈ）また、前記制御部は、前記第１通信方式による送信と前記第２通信方式による送信とを並行して行う期間においては、前記第３上限電力値以下の範囲での電力増幅を前記第１増幅器に行わせ、かつ前記第４上限電力値以下の範囲での電力増幅を前記第２増幅器に行わせるよう前記制御を行うこととしてもよい。
この携帯通信端末によれば、第１通信方式による送信と第２通信方式による送信とを並行して行う場合に、両増幅器の上限電力値を、その増幅器に対応する通信方式による送信のみが行われている場合よりもそれぞれ低下させるので、携帯通信端末の温度上昇をより適切に抑制できる。
【００６６】
（ｉ）また、前記制御部は、前記第１通信方式による送信と前記第２通信方式による送信とを並行して行っているかの判定を繰り返し行い、並行して行っているとの判定を行う毎に、少なくともいずれか一方の増幅器における上限電力値を当該判定時よりも低下させるように前記制御を行い、前記判定の結果が、並行して行っている状態から並行して行っていない状態に変化した場合に、前記制御を中止し、前記第１上限電力値以下の範囲での電力増幅を前記第１増幅器に行わせ、前記第２上限電力値以下の範囲での電力増幅を前記第２増幅器に行わせることとしてもよい。
【００６７】
この携帯通信端末によれば、第１通信方式による送信と第２通信方式による送信とを並行して行う場合に、少なくともいずれか一方の増幅器における上限電力値を徐々に低下させるため、携帯通信端末の温度上昇の抑制を優先しつつも、各通信方式による送信をなるべく維持することができる。
また、この携帯通信端末は、第１通信方式による送信と第２通信方式による送信とを並行して行う状態から並行して行わない状態へと変化した場合に、各増幅器の上限電力値を、各増幅器に対応する通信方式による送信のみが行われている場合の上限電力値に戻す。
【００６８】
従って、この携帯通信端末によれば、第１通信方式による送信と第２通信方式による送信とを並行して行わなくなった後に、通信状況が悪くなっても、現在行われている送信を維持できる可能性を高めることができる。
（１２）本発明に係る携帯通信端末の第１増幅器及び第２増幅器は、例えば、各実施の形態に係る携帯電話機の増幅器１０６ａ、１０６ｂに相当し、本発明に係る携帯通信端末の制御部は、例えば、各実施の形態に係る携帯電話機の制御部（１１１、２０２、３０１）に相当し、発明に係る携帯通信端末の測定部は、例えば実施の形態２及び３に係る測定部２０１に相当する。
【００６９】
また、本発明に係る携帯通信端末の第１送信部は、例えば、各実施の形態に係る携帯電話機の記憶部１０１ａ、通信制御部１０２ａ、ベースバンド部１０３ａ、無線部１０４ａ、フィルタ１０５ａ、増幅器１０６ａ、アイソレータ１０７ａ、デュプレクサ１０８ａ及びアンテナ１０９ａに相当する。
また、本発明に係る携帯通信端末の第２送信部は、例えば、各実施の形態に係る携帯電話機の記憶部１０１ｂ、通信制御部１０２ｂ、ベースバンド部１０３ｂ、無線部１０４ｂ、フィルタ１０５ｂ、増幅器１０６ｂ、アイソレータ１０７ｂ、デュプレクサ１０８ｂ及びアンテナ１０９ｂに相当する。
【産業上の利用可能性】
【００７０】
本発明に係る携帯通信端末は、送信信号の電力増幅用の複数の増幅器を備える携帯通信端末の温度上昇を抑制するために利用される。
【符号の説明】
【００７１】
１００、２００、３００    携帯電話機
１０１ａ、１０１ｂ    記憶部
１０２ａ、１０２ｂ    通信制御部
１０３ａ、１０３ｂ    ベースバンド部
１０４ａ、１０４ｂ    無線部
１０５ａ、１０５ｂ    フィルタ
１０６ａ、１０６ｂ    増幅器
１０７ａ、１０７ｂ    アイソレータ
１０８ａ、１０８ｂ    デュプレクサ
１０９ａ、１０９ｂ    アンテナ
１１０ａ、１１０ｂ    受信回路
１１１、２０２、３０１    制御部
２０１    測定部
【図１】
2012222702.tif 000003
【図２】
2012222702.tif 000004
【図３】
2012222702.tif 000005
【図４】
2012222702.tif 000006
【図５】
2012222702.tif 000007
【図６】
2012222702.tif 000008